(57)【要約】  個人的なコンテンツを他のユーザとの間で容易に共有する。  情報処理装置は、Ｗｅｂサーバおよび制御部を具備する。Ｗｅｂサーバは、無線通信を利用して接続される１または複数の他の情報処理装置に対してコンテンツ送信環境を提供するものである。また、Ｗｅｂサーバは、そのコンテンツ送信環境が設定された他の情報処理装置から送信されたコンテンツ（他の情報処理装置を所持するユーザに関するコンテンツ）を取得する。また、制御部は、Ｗｅｂサーバにより取得されたコンテンツを表示させるものである。
2015182183.tif 000002
【特許請求の範囲】
【請求項１】
無線通信を利用して接続される１または複数の他の情報処理装置に対してコンテンツ送信環境を提供し、前記コンテンツ送信環境が設定された他の情報処理装置から送信されたコンテンツであって前記他の情報処理装置を所持するユーザに関するコンテンツを取得するＷｅｂサーバと、
前記取得されたコンテンツを表示させる制御部と
を具備する情報処理装置。
【請求項２】
前記Ｗｅｂサーバは、前記１または複数の他の情報処理装置からの送信要求に応じて前記表示されたコンテンツを当該他の情報処理装置に提供する請求項１記載の情報処理装置。
【請求項３】
前記Ｗｅｂサーバは、前記表示されたコンテンツのうち制限情報が付加されているコンテンツについては前記送信要求を送信した他の情報処理装置への提供を行わない請求項２記載の情報処理装置。
【請求項４】
前記制御部は、前記表示されたコンテンツについて前記送信要求を送信した他の情報処理装置への提供を制限するか否かを判断し、
前記Ｗｅｂサーバは、前記送信要求を送信した他の情報処理装置への提供を制限すると判断されたコンテンツについては当該他の情報処理装置への提供を行わない
請求項２記載の情報処理装置。
【請求項５】
前記Ｗｅｂサーバは、前記他の情報処理装置からの要求に応じて当該他の情報処理装置に前記コンテンツ送信環境を提供する請求項１記載の情報処理装置。
【請求項６】
前記取得されたコンテンツに基づく画像を投影面に投影して表示させる投影部をさらに具備し、
前記制御部は、前記取得されたコンテンツを前記投影部による前記投影面への投影により表示させる
請求項１記載の情報処理装置。
【請求項７】
前記取得されたコンテンツに基づく画像を表示する表示部をさらに具備し、
前記制御部は、前記取得されたコンテンツに基づく画像を前記表示部に表示させる
請求項１記載の情報処理装置。
【請求項８】
前記制御部は、前記コンテンツ送信環境が設定された他の情報処理装置からの操作要求に応じて前記表示されたコンテンツに関する制御を行う請求項１記載の情報処理装置。
【請求項９】
第１情報処理装置を所持するユーザに関するコンテンツを無線通信を利用して送信するためのコンテンツ送信環境を設定するための設定要求を第２情報処理装置に無線通信を利用して送信する第１情報処理装置と、
前記第１情報処理装置に対して前記コンテンツ送信環境を提供し、前記コンテンツ送信環境が設定された前記第１情報処理装置から送信されたコンテンツであって前記第１情報処理装置を所持するユーザに関するコンテンツを取得するＷｅｂサーバと、前記取得されたコンテンツを表示させる制御部とを備える第２情報処理装置と
を具備する情報処理システム。
【請求項１０】
無線通信を利用して接続される１または複数の情報処理装置に対してコンテンツ送信環境を提供する第１手順と、
前記コンテンツ送信環境が設定された他の情報処理装置から送信されたコンテンツであって当該他の情報処理装置を所持するユーザに関するコンテンツを取得する第２手順と、
前記取得されたコンテンツを表示させる第３手順と
を具備する情報処理方法。
【請求項１１】
無線通信を利用して接続される１または複数の情報処理装置に対してコンテンツ送信環境を提供する第１手順と、
前記コンテンツ送信環境が設定された他の情報処理装置から送信されたコンテンツであって当該他の情報処理装置を所持するユーザに関するコンテンツを取得する第２手順と、
前記取得されたコンテンツを表示させる第３手順と
をコンピュータに実行させるプログラム。
【発明の詳細な説明】
【技術分野】
【０００１】
本技術は、情報処理装置に関する。詳しくは、コンテンツを扱う情報処理装置、情報処理システムおよびそれらの情報処理方法ならびに当該方法をコンピュータに実行させるプログラムに関する。
【背景技術】
【０００２】
従来、各種のコンテンツを扱う情報処理装置が提案されている。例えば、スクリーンに画像を投影してそのスクリーン上にその画像を表示させることが可能なプロジェクタ装置が提案されている（例えば、特許文献１参照。）。
【先行技術文献】
【特許文献】
【０００３】
【特許文献１】特開平０６−１４１２５７号公報
【発明の概要】
【発明が解決しようとする課題】
【０００４】
上述の従来技術では、各種のコンテンツに基づく画像をスクリーンに投影してそのスクリーン上にその画像を表示させることができる。【０００５】
ここで、近年では、スマートフォン、タブレット端末等の情報処理装置が広く普及している。また、これらの情報処理装置を用いてユーザが各種のコンテンツ（例えば、静止画コンテンツ、動画コンテンツ）を作成することができる。【０００６】
このように作成された個人的なコンテンツを、他のユーザとの間で容易に共有することができる環境を提供することができれば、情報処理装置をさらに活用することができると想定される。【０００７】
本技術はこのような状況に鑑みて生み出されたものであり、個人的なコンテンツを他のユーザとの間で容易に共有することを目的とする。
【課題を解決するための手段】
【０００８】
本技術は、上述の問題点を解消するためになされたものであり、その第１の側面は、無線通信を利用して接続される１または複数の他の情報処理装置に対してコンテンツ送信環境を提供し、上記コンテンツ送信環境が設定された他の情報処理装置から送信されたコンテンツであって上記他の情報処理装置を所持するユーザに関するコンテンツを取得するＷｅｂサーバと、上記取得されたコンテンツを表示させる制御部とを具備する情報処理装置およびその情報処理方法ならびに当該方法をコンピュータに実行させるプログラムである。これにより、無線通信を利用して接続される１または複数の他の情報処理装置に対してコンテンツ送信環境を提供し、コンテンツ送信環境が設定された他の情報処理装置から送信されたコンテンツ（他の情報処理装置を所持するユーザに関するコンテンツ）を取得し、その取得されたコンテンツを表示させるという作用をもたらす。【０００９】
また、この第１の側面において、上記Ｗｅｂサーバは、上記１または複数の他の情報処理装置からの送信要求に応じて上記表示されたコンテンツを当該他の情報処理装置に提供するようにしてもよい。これにより、１または複数の他の情報処理装置からの送信要求に応じて、表示されたコンテンツを他の情報処理装置に提供するという作用をもたらす。【００１０】
また、この第１の側面において、上記Ｗｅｂサーバは、上記表示されたコンテンツのうち制限情報が付加されているコンテンツについては上記送信要求を送信した他の情報処理装置への提供を行わないようにしてもよい。これにより、表示されたコンテンツのうち制限情報が付加されているコンテンツについては、送信要求を送信した他の情報処理装置への提供を行わないという作用をもたらす。【００１１】
また、この第１の側面において、上記制御部は、上記表示されたコンテンツについて上記送信要求を送信した他の情報処理装置への提供を制限するか否かを判断し、上記Ｗｅｂサーバは、上記送信要求を送信した他の情報処理装置への提供を制限すると判断されたコンテンツについては当該他の情報処理装置への提供を行わないようにしてもよい。これにより、送信要求を送信した他の情報処理装置への提供を制限すると判断されたコンテンツについては、他の情報処理装置への提供を行わないという作用をもたらす。【００１２】
また、この第１の側面において、上記Ｗｅｂサーバは、上記他の情報処理装置からの要求に応じて当該他の情報処理装置に上記コンテンツ送信環境を提供するようにしてもよい。これにより、他の情報処理装置からの要求に応じて、他の情報処理装置にコンテンツ送信環境を提供するという作用をもたらす。【００１３】
また、この第１の側面において、上記取得されたコンテンツに基づく画像を投影面に投影して表示させる投影部をさらに具備し、上記制御部は、上記取得されたコンテンツを上記投影部による上記投影面への投影により表示させるようにしてもよい。これにより、取得されたコンテンツを投影部による投影面への投影により表示させるという作用をもたらす。【００１４】
また、この第１の側面において、上記取得されたコンテンツに基づく画像を表示する表示部をさらに具備し、上記制御部は、上記取得されたコンテンツに基づく画像を上記表示部に表示させるようにしてもよい。これにより、取得されたコンテンツを表示部に表示させるという作用をもたらす。【００１５】
また、この第１の側面において、上記制御部は、上記コンテンツ送信環境が設定された他の情報処理装置からの操作要求に応じて上記表示されたコンテンツに関する制御を行うようにしてもよい。これにより、コンテンツ送信環境が設定された他の情報処理装置からの操作要求に応じて、表示されたコンテンツに関する制御を行うという作用をもたらす。【００１６】
また、本技術の第２の側面は、第１情報処理装置を所持するユーザに関するコンテンツを無線通信を利用して送信するためのコンテンツ送信環境を設定するための設定要求を第２情報処理装置に無線通信を利用して送信する第１情報処理装置と、上記第１情報処理装置に対して上記コンテンツ送信環境を提供し、上記コンテンツ送信環境が設定された上記第１情報処理装置から送信されたコンテンツであって上記第１情報処理装置を所持するユーザに関するコンテンツを取得するＷｅｂサーバと、上記取得されたコンテンツを表示させる制御部とを備える第２情報処理装置とを具備する情報処理システムおよびその情報処理方法ならびに当該方法をコンピュータに実行させるプログラムである。これにより、第１情報処理装置は、第１情報処理装置を所持するユーザに関するコンテンツを無線通信を利用して送信するためのコンテンツ送信環境を設定するための設定要求を第２情報処理装置に無線通信を利用して送信し、第２情報処理装置は、第１情報処理装置に対してコンテンツ送信環境を提供し、コンテンツ送信環境が設定された第１情報処理装置から送信されたコンテンツ（第１情報処理装置を所持するユーザに関するコンテンツ）を取得し、その取得されたコンテンツを表示させるという作用をもたらす。
【発明の効果】
【００１７】
本技術によれば、個人的なコンテンツを他のユーザとの間で容易に共有することができるという優れた効果を奏し得る。なお、ここに記載された効果は必ずしも限定されるものではなく、本開示中に記載されたいずれかの効果であってもよい。
【図面の簡単な説明】
【００１８】
【図１】本技術の実施の形態における情報処理システム１００の使用例を示す図である。
【図２】本技術の実施の形態における情報処理装置２００の内部構成例を示すブロック図である。
【図３】本技術の実施の形態における情報処理装置２００により投影されて表示される投影画像の遷移例を示す図である。
【図４】本技術の実施の形態における情報処理装置３００のタッチパネル３０１に表示される画像の遷移例を示す図である。
【図５】本技術の実施の形態における情報処理装置２００により投影されて表示される投影画像の遷移例を示す図である。
【図６】本技術の実施の形態における情報処理装置２００により投影されて表示される投影画像の遷移例を示す図である。
【図７】本技術の実施の形態における情報処理装置２００により投影されて表示される投影画像の遷移例を示す図である。
【図８】本技術の実施の形態における情報処理装置３００のタッチパネル３０１に表示される画像の遷移例を示す図である。
【図９】本技術の実施の形態における情報処理装置２００により投影されて表示される投影画像の遷移例を示す図である。
【図１０】本技術の実施の形態における情報処理システム１００を構成する各装置間における通信処理例を示すシーケンスチャートである。
【図１１】本技術の実施の形態における情報処理システム１００を構成する各装置間における通信処理例を示すシーケンスチャートである。
【図１２】本技術の実施の形態における情報処理システム１００を構成する各装置間における通信処理例を示すシーケンスチャートである。
【図１３】本技術の実施の形態における情報処理システム１００を構成する各装置間における通信処理例を示すシーケンスチャートである。
【発明を実施するための形態】
【００１９】
以下、本技術を実施するための形態（以下、実施の形態と称する）について説明する。説明は以下の順序により行う。
１．実施の形態（個人的なコンテンツを他のユーザとの間で容易に共有する例）
【００２０】
＜１．実施の形態＞
［情報処理システムの使用例］
図１は、本技術の実施の形態における情報処理システム１００の使用例を示す図である。
【００２１】
情報処理システム１００は、情報処理装置２００と、情報処理装置３００と、情報処理装置３１０と、情報処理装置３２０と、情報処理装置３３０とを備える。なお、本技術の実施の形態では、情報処理装置２００は、サーバとして機能し、情報処理装置３００、情報処理装置３１０、情報処理装置３２０および情報処理装置３３０のそれぞれは、クライアントとして機能する例を示す。
【００２２】
情報処理システム１００は、例えば、会議等の集会の場において、情報処理装置２００と、情報処理装置３００、情報処理装置３１０、情報処理装置３２０および情報処理装置３３０とを、無線通信を利用して接続して用いられる。例えば、情報処理装置３００、情報処理装置３１０、情報処理装置３２０および情報処理装置３３０を手で持っているユーザのうちの１人が発表者となり、この発表者が手に持っている情報処置装置と情報処理装置２００とを接続する。そして、その発表者は、投影面１０に画像１１を表示させながら説明することができる。
【００２３】
なお、図１では、スクリーン、壁、天井等のように、画像を表示することができる平面形状（または、非平面形状）の面を投影面１０として模式的に示す。なお、本技術の実施の形態に示す画像には、映像の意味を含むものとする。
【００２４】
また、本技術の実施の形態では、図１に示すように、テーブルに設置して投影面１０に画像を投影する情報処理装置２００を例にして説明する。例えば、情報処理装置２００は、携帯型の情報処理装置とすることができる。
【００２５】
また、情報処理装置２００は、無線通信機能を備え、投影面（投影スクリーン面）１０に画像を投影（投射）することにより、投影面１０に画像１１を表示させる画像投影機（例えば、ネットワーク対応プロジェクタ、コンテンツ表示装置）である。
【００２６】
情報処理装置３００、情報処理装置３１０、情報処理装置３２０および情報処理装置３３０は、例えば、無線通信機能を備える携帯型の情報処理装置である。ここで、携帯型の情報処理装置は、例えば、スマートフォン、携帯電話、タブレット端末、ＰＣ（Personal Computer）、ゲーム機器、家電機器等の情報処理装置である。また、各ユーザは、情報処理装置３００、情報処理装置３１０、情報処理装置３２０および情報処理装置３３０を手で持ちながら各種の操作をすることができる。
【００２７】
例えば、情報処理装置２００、情報処理装置３００、情報処理装置３１０、情報処理装置３２０および情報処理装置３３０のそれぞれは、無線ＬＡＮ（Local Area Network）の通信方式により、互いに無線通信を行うことができる。この無線ＬＡＮの通信方式は、例えば、ＩＥＥＥ（Institute of Electrical and Electronic Engineers）８０２．１１規格に基づく通信方式である。例えば、Ｗｉ−Ｆｉ（登録商標）（Wireless Fidelity）を用いることができる。
【００２８】
なお、各情報処理装置間の通信方式については、無線ＬＡＮでの接続以外に、他の情報処理装置との間でＩＰ（Internet Protocol）通信を確立することができる他の通信方式を用いるようにしてもよい。すなわち、ＩＰ通信を確立することができれば、それよりも下位レイヤーとなる通信方式については特に問わずに用いることができる。
【００２９】
例えば、他の無線通信の規格として、３Ｇ（3rd Generation）（ＩＭＴ（International Mobile Telecommunication）−２０００）、ＬＴＥ（Long Term Evolution）等を用いることができる。また、例えば、他の無線通信の規格として、ＷｉＭＡＸ（Worldwide Interoperability for Microwave Access）（ＩＥＥＥ８０２．１６ｅ）、４Ｇ（4th Generation）（ＩＭＴ−Ａｄｖａｎｃｅｄ）等を用いることができる。
【００３０】
［情報処理装置の構成例］
図２は、本技術の実施の形態における情報処理装置２００の内部構成例を示すブロック図である。また、図２では、情報処理装置２００の内部構成例とともに、情報処理装置３００を示す。なお、情報処理装置２００と、他の情報処理装置（情報処理装置３１０、３２０、３３０）との関係についても、情報処理装置２００および情報処理装置３００の関係と同様である。このため、ここでは、情報処理装置３００のみを図示し、他の情報処理装置の図示およびその説明を省略する。
【００３１】
情報処理装置２００は、無線通信部２１０と、Ｗｅｂサーバ部２２０と、アプリデータ記憶部２３０と、制御部２４０と、コンテンツデータ記憶部２５０と、画像処理部２６０と、投影部２７０と、音声処理部２８０と、音声出力部２９０とを備える。なお、投影面１０は、投影部２７０から投影される画像を映し出す投影面（例えば、プロジェクタモジュール等のスクリーン）である。
【００３２】
無線通信部２１０は、Ｗｅｂサーバ部２２０の制御に基づいて、無線通信を利用して、他の情報処理装置（例えば、情報処理装置３００）との間で各情報（例えば、制御データ、画像データ）の送受信を行うものである。
【００３３】
また、複数の無線通信方式を用いることができる。例えば、無線通信の開始時には、ＮＦＣ（Near Field Communication）により電源のオンとＷｉ−Ｆｉに関するデータ（例えば、ＳＳＩＤ（Service Set Identifier））のやりとりのみを行う。そして、これ以降のデータのやりとりについては、Ｗｉ−Ｆｉにより行うことができる。
【００３４】
また、ＤＮＳ（Domain Name System）によりリダイレクトする場合には、ＵＲＬ（Uniform Resource Locator）の入力をほぼ不要とすることができる。
【００３５】
また、Ｗｉ-Ｆｉ  Ｄｉｒｅｃｔで接続する場合には、Ｗｅｂブラウザ起動のみで動作するため、ＵＲＬの入力を不要とすることができる。
【００３６】
Ｗｅｂサーバ部２２０は、無線通信を利用して接続される１または複数の他の情報処理装置に対してコンテンツ送信環境（例えば、Ｗｅｂアプリケーション（Ｗｅｂアプリ））を提供するものである。この場合に、例えば、Ｗｅｂサーバ部２２０は、他の情報処理装置からの要求に応じて、他の情報処理装置にコンテンツ送信環境を提供する。例えば、Ｗｅｂサーバ部２２０は、アプリデータ記憶部２３０に記憶されているアプリデータ（例えば、Ｗｅｂアプリケーションのデータ）を読み出して他の情報処理装置に提供する。
【００３７】
また、Ｗｅｂサーバ部２２０は、そのコンテンツ送信環境が設定された他の情報処理装置から送信されたコンテンツ（他の情報処理装置を所持するユーザに関するコンテンツ）を取得する。そして、Ｗｅｂサーバ部２２０は、その取得されたコンテンツを制御部２４０を介してコンテンツデータ記憶部２５０に記憶させる。
【００３８】
例えば、Ｗｅｂサーバ部２２０は、１または複数の他の情報処理装置からの送信要求に応じて、投影部２７０により投影されて投影面１０に表示されたコンテンツを他の情報処理装置に提供する。この場合に、Ｗｅｂサーバ部２２０は、その表示されたコンテンツのうち、制限情報が付加されているコンテンツについては、その送信要求を送信した他の情報処理装置への提供を行わないようにしてもよい。また、例えば、Ｗｅｂサーバ部２２０は、その送信要求を送信した他の情報処理装置への提供を制限すると制御部２４０により判断されたコンテンツについては、その情報処理装置への提供を行わないようにしてもよい。
【００３９】
アプリデータ記憶部２３０は、アプリデータを記憶するものであり、記憶されているアプリデータをＷｅｂサーバ部２２０に供給する。ここで、アプリデータは、例えば、他の情報処理装置がコンテンツ送信環境を設定するためのデータである。このコンテンツ送信環境は、例えば、Ｗｅｂアプリケーションである。
【００４０】
制御部２４０は、制御プログラムに基づいて情報処理装置２００の各部を制御するものである。例えば、制御部２４０は、ＣＰＵ（Central Processing Unit）により実現される。
【００４１】
例えば、制御部２４０は、Ｗｅｂサーバ部２２０により取得されたコンテンツを投影部２７０による投影面１０への投影により表示させる。
【００４２】
また、例えば、制御部２４０は、コンテンツ送信環境が設定された他の情報処理装置からの操作要求に応じて、その表示されたコンテンツに関する制御を行う。
【００４３】
コンテンツデータ記憶部２５０は、コンテンツデータを記憶するものであり、記憶されているコンテンツデータを制御部２４０に供給する。ここで、コンテンツデータは、例えば、他の情報処理装置から送信されたコンテンツに関するデータである。コンテンツデータは、例えば、静止画コンテンツ、動画コンテンツ、音楽コンテンツである。
【００４４】
また、コンテンツデータ記憶部２５０に記憶される各コンテンツについては、各情報処理装置に付与される管理情報（例えば、通し番号）と、各情報処理装置に付与されるＩＰアドレスとを用いて管理される。また、各情報処理装置を識別するための画像（例えば、アイコン、アバター（例えば、ネコ、ネズミ、カエル））をコンテンツに関連付けて表示する場合には、その画像がコンテンツに関連付けて記憶される。
【００４５】
画像処理部２６０は、制御部２４０の制御に基づいて、制御部２４０から出力された画像（画像データ）について各種の画像処理を行うものであり、その画像処理が施された画像を投影部２７０に出力する。
【００４６】
投影部２７０は、画像処理部２６０により画像処理が施された画像を投影面１０に投影して表示させる画像出力装置である。
【００４７】
音声処理部２８０は、制御部２４０の制御に基づいて、制御部２４０から出力された音声（音声データ）について各種の音声処理を行うものであり、その音声処理が施された音声を音声出力部２９０に出力する。
【００４８】
音声出力部２９０は、音声処理部２８０により音声処理が施された音声を出力する音声出力装置（例えば、スピーカ）である。
【００４９】
情報処理装置３００は、タッチパネル３０１と、操作受付部３０２と、音声出力部３０３とを備える。例えば、情報処理装置３００は、ユーザに関するコンテンツを無線通信を利用して送信するためのコンテンツ送信環境を設定するための設定要求を情報処理装置２００に無線通信を利用して送信する。また、例えば、情報処理装置３００は、コンテンツ送信環境が設定された後に、ユーザに関するコンテンツを無線通信を利用して情報処理装置２００に送信する。
【００５０】
タッチパネル３０１は、制御部（図示せず）の制御に基づいて各種情報を表示し、使用者がその指を表示面に接触または近接することにより操作入力を行うことが可能なタッチパネルである。なお、タッチパネル３０１を構成する表示パネルとして、例えば、有機ＥＬ（Electro Luminescence）パネル、ＬＣＤ（Liquid Crystal Display）パネル等の表示パネルを用いることができる。
【００５１】
操作受付部３０２は、ユーザにより行われた操作入力を受け付ける操作受付部であり、受け付けられた操作入力に応じた操作情報を制御部（図示せず）に出力する。
【００５２】
音声出力部３０３は、制御部（図示せず）の制御に基づいて、各種音声を出力する音声出力部（例えば、スピーカ）である。
【００５３】
ここで、情報処理装置３００を保持しているユーザが発表者として情報処理装置２００を用いて説明を行う場合について説明する。
【００５４】
情報処理装置２００および情報処理装置３００は、無線通信部２１０を介してネットワーク接続されている。この状態で、ユーザは、情報処理装置３００に搭載されている汎用のＷｅｂブラウザを起動し、情報処理装置２００のＷｅｂサーバ部２２０にアクセスする。このようにアクセスがされると、情報処理装置２００の制御部２４０は、アプリデータ記憶部２３０に格納されているＷｅｂアプリデータを情報処理装置３００のＷｅｂブラウザに返信する。
【００５５】
Ｗｅｂアプリデータを受信した場合には、情報処理装置３００の制御部（図示せず）は、Ｗｅｂアプリ（コンテンツ送信環境）を起動させる。
【００５６】
続いて、ユーザは、情報処理装置２００を用いて表示させるコンテンツ（コンテンツデータ）を、情報処理装置３００上のＷｅｂアプリを操作して情報処理装置２００に送信する。このコンテンツを受信すると、情報処理装置２００は、その受信したコンテンツデータを、Ｗｅｂサーバ部２２０および制御部２４０を介してコンテンツデータ記憶部２５０に格納する。そして、コンテンツデータ記憶部２５０に格納されたコンテンツは、画像処理部２６０により画像処理が施され、投影部２７０により投影面１０に投影される。また、投影部２７０から投影されているコンテンツに音声データが含まれている場合には、音声処理部２８０を経由して音声出力部２９０から音声が出力される。
【００５７】
なお、投影部２７０の代わりに表示部を備える情報処理装置（例えば、コンテンツ表示装置）についても本技術の実施の形態を適用することができる。
【００５８】
［投影画像の表示例および情報処理装置における表示画面の表示例］
図３、図５乃至図７、図９は、本技術の実施の形態における情報処理装置２００により投影されて表示される投影画像の遷移例を示す図である。
【００５９】
図４、図８は、本技術の実施の形態における情報処理装置３００のタッチパネル３０１に表示される画像の遷移例を示す図である。
【００６０】
図３には、情報処理装置２００により投影されて表示される投影画像５００を示す。投影画像５００は、情報処理装置３００を情報処理装置２００に接続する際に表示される画面（初期画面）である。なお、図３では、説明の容易のため、ＵＲＬ５０１、ＳＳＩＤ、Ｐａｓｓ（パスワード）等の記載については、簡略した文字のみを示す。
【００６１】
例えば、情報処理装置３００を情報処理装置２００に接続する場合には、ユーザは、情報処理装置２００を起動する。例えば、ユーザは、情報処理装置２００の電源をオンする。なお、これ以降については、ユーザは、情報処理装置２００本体の操作を行う必要はない。
【００６２】
続いて、ユーザは、無線通信を利用して情報処理装置３００および情報処理装置２００をネットワーク接続するための操作を情報処理装置３００において行う。
【００６３】
続いて、ユーザは、情報処理装置３００においてＷｅｂブラウザを起動させ、所定のＵＲＬを入力する。例えば、ユーザは、図３に示す投影画像５００に表示されているＵＲＬ５０１を見ながら、そのＵＲＬを手動操作で入力する。続いて、情報処理装置３００において、Ｗｅｂブラウザ上で自動的にＷｅｂアプリが起動する。
【００６４】
図４には、情報処理装置３００のタッチパネル３０１に表示される操作画面５６０を示す。
【００６５】
操作画面５６０には、情報処理装置２００により投影されて表示される投影画像を操作するための操作ボタン５６１と、操作ボタン５６２と、操作領域５６３とが表示される。
【００６６】
操作ボタン５６１は、情報処理装置３００に格納されているコンテンツをユーザ操作により選択して送信する場合に押下されるボタンである。
【００６７】
操作ボタン５６２は、投影面１０に表示させるメッセージをユーザ操作により入力して送信する場合に押下されるボタンである。
【００６８】
操作領域５６３は、投影面１０に表示される投影画像について各種の操作をフリック操作により行うための領域（フリック領域）である。
【００６９】
［コンテンツ送信例］
ここでは、情報処理装置３００から情報処理装置２００にコンテンツを送信する場合の送信例について説明する。
【００７０】
ユーザは、操作画面５６０において操作ボタン５６１を押下する。操作ボタン５６１が押下されると、情報処理装置３００に格納されているコンテンツがタッチパネル３０１に一覧表示される。そして、ユーザは、タッチパネル３０１に一覧表示されているコンテンツのうちから情報処理装置３００に送信して投影面１０に表示させる１または複数のコンテンツを選択する選択操作（例えば、コンテンツを表す画像へのタッチ操作）を行う。そして、ユーザは、その選択されたコンテンツを情報処理装置３００に送信するための送信操作（例えば、送信ボタンのタッチ操作）を行う。この送信操作が行われた場合には、情報処理装置３００から情報処理装置２００に、ユーザにより選択されたコンテンツが送信される。そして、情報処理装置２００は、そのユーザにより選択されたコンテンツを投影部２７０から投影面１０に投影して表示させる。
【００７１】
なお、コンテンツの送信操作を行う場合には、送信対象となるコンテンツとともに表示させる文字（例えば、コメント、メッセージ）を入力することが可能である。このように、コンテンツとともに文字を表示させる場合には、ユーザは、操作画面５６０において操作ボタン５６２を押下する。
【００７２】
操作ボタン５６２が押下されると、メッセージを入力するための入力画面がタッチパネル３０１に表示される。そして、ユーザは、タッチパネル３０１に表示されている入力画面において、投影面１０に表示させるメッセージを入力する入力操作（または、複数のメッセージの中から所望のメッセージを選択する選択操作）を行う。そして、ユーザは、その入力（選択）されたメッセージを情報処理装置３００に送信するための送信操作（例えば、送信ボタンのタッチ操作）を行う。これにより、その入力（選択）されたメッセージが情報処理装置３００から情報処理装置２００に送信される。
【００７３】
［履歴表示例］
ここでは、情報処理装置３００から履歴表示モードを設定する場合の設定例（履歴表示例）について説明する。
【００７４】
ユーザは、操作画面５６０の操作領域５６３において左右方向（左右どちらも可）にフリック操作を行う。操作領域５６３において左右方向にフリック操作が行われると、その旨の情報が情報処理装置３００から情報処理装置２００に送信される。その旨の情報を受信した場合には、情報処理装置２００は、履歴表示モードを設定する。すなわち、情報処理装置２００は、投影面１０に表示させる投影画像を履歴表示モードでの表示とする。例えば、図７に示す投影画像５５０が投影面１０に表示される。
【００７５】
また、操作画面５６０の操作領域５６３における左右方向へのフリック操作により、投影画像５５０に表示させるメイン画像を前後（サムネイル画像表示領域５５１の前後）に切り替えることができる。なお、サムネイル画像表示領域５５１の各画像のうち、選択状態にある画像には、選択状態であることを示す枠５５２が表示される。
【００７６】
［コンテンツダウンロード例］
ここでは、情報処理装置２００から情報処理装置３００にコンテンツをダウンロードする場合のコンテンツダウンロード例について説明する。
【００７７】
ユーザは、操作画面５６０の操作領域５６３において下方向にフリック操作を行う。操作領域５６３において下方向にフリック操作が行われると、例えば、図７に示す投影画像５５０に表示されているメイン画像のプレビュー画像と、ダイアログとがタッチパネル３０１に表示される。そのダイアログには、「ダウンロードしますか」のメッセージと、「はい」ボタンとが含まれる。
【００７８】
ユーザは、そのダイアログにおいて「はい」ボタンのタップ操作を行う。このタップ操作が行われた場合には、タッチパネル３０１にプレビュー画像が表示されたコンテンツのダウンロードが開始される。
【００７９】
［コンテンツ採点例］
ここでは、投影面１０に表示されているコンテンツの採点を情報処理装置３００から行う場合のコンテンツ採点例について説明する。
【００８０】
ユーザは、加点したいコンテンツが投影面１０に表示されている状態で、操作画面５６０の操作領域５６３において上方向にフリック操作を行う。操作領域５６３において上方向にフリック操作が行われると、投影画像５５０に表示されている投影画像の右側に星印が表示される。なお、既に星印が表示されている場合には、星印の数が追加して表示される。すなわち、投影画像５５０に表示されているコンテンツに対しての評価得点に加点される。例えば、図５のａには、コンテンツに６の評価得点がつけられた場合の例を示す。また、例えば、図５のｂには、コンテンツに５の評価得点がつけられた場合の例を示す。また、例えば、図７には、コンテンツに３の評価得点がつけられた場合の例を示す。
【００８１】
［コンテンツ再生例（停止例）」
ここでは、投影面１０に表示されているコンテンツの再生および停止を情報処理装置３００から行う場合のコンテンツ再生、停止例について説明する。
【００８２】
ユーザは、再生したい動画コンテンツが投影面１０に表示されている状態で、操作画面５６０の操作領域５６３においてタップ操作を行う。操作領域５６３においてタップ操作が行われると、投影面１０に表示されている動画コンテンツの再生が開始される。
【００８３】
また、ユーザは、再生中の動画コンテンツを停止させる場合には、操作画面５６０の操作領域５６３においてタップ操作を再度行う。操作領域５６３において２度目のタップ操作が行われると、投影面１０に表示されている動画コンテンツの再生が停止する。同様に、これ以降は、タップ操作が行われる毎に再生および一時停止を繰り返す。
【００８４】
［音声出力例」
例えば、静止画コンテンツやテキストメッセージが投影面１０に表示されている場合には、投影画像に含まれる文字（例えば、コメント、メッセージ）をユーザ操作により音声出力（読み上げ）させることができる。
【００８５】
［コンテンツ出力例」
図５のａおよびｂには、情報処理装置３００から送信されたコンテンツ（投影画像５１０、５２０）の表示例を示す。図５では、静止画コンテンツが情報処理装置３００から送信された場合における表示例を示す。
【００８６】
例えば、投影画像５１０として、情報処理装置３００から送信された静止画コンテンツ（ちんあなご）の画像（静止画）が表示される。この場合に、例えば、操作ボタン５６２を用いたユーザ操作により、情報処理装置３００から情報処理装置２００に送信されたメッセージ「ちんあなご」が、投影画像５１０の左下に表示される。
【００８７】
また、操作領域５６３において、上側へのフリック操作が行われた情報処理装置の数に対応する星印が、投影画像５１０の右下に表示される。
【００８８】
また、情報処理装置３００から情報処理装置２００に送信された画像（例えば、アイコン、アバター）または予め設定されている画像が、投影画像５１０の左下に表示される。例えば、各ユーザを識別するための猫やカエルの画像が表示される。
【００８９】
図６のａには、情報処理装置３００から送信されたコンテンツ（投影画像５３０）の表示例を示す。図６のａでは、動画コンテンツが情報処理装置３００から送信された場合における表示例を示す。
【００９０】
例えば、投影画像５３０として、情報処理装置３００から送信された動画コンテンツの画像（例えば、その動画に関する代表画像）が表示される。この場合に、例えば、操作画面５６０の操作領域５６３においてタップ操作を行うことにより、投影画像５３０に対応する動画を再生させることができる。
【００９１】
図６のｂには、情報処理装置３００から送信されたコンテンツ（投影画像５４０）の表示例を示す。図６のｂでは、音楽コンテンツが情報処理装置３００から送信された場合における表示例を示す。
【００９２】
例えば、投影画像５４０として、情報処理装置３００から送信された音楽コンテンツの画像（その音楽に関する画像）が表示される。この場合に、例えば、操作画面５６０の操作領域５６３においてタップ操作を行うことにより、投影画像５４０に対応する音楽を出力させることができる。
【００９３】
図７には、情報処理装置２００に送信されたコンテンツを一覧表示する投影画像５５０の一例を示す。
【００９４】
投影画像５５０には、選択状態であるコンテンツの画像とともに、情報処理装置２００に送信されたコンテンツを一覧表示するためのサムネイル画像表示領域５５１が表示される。サムネイル画像表示領域５５１に表示されている画像については、図４に示す操作領域５６３における左右へのフリック操作により、左右方向に移動させることができる。また、図４に示す操作領域５６３における真ん中部分の押下操作により、選択状態の画像を変更させることができる。
【００９５】
また、投影面１０に表示される画像については、各情報処理装置において、所定の加工を行うことができる。この例を、図８に示す。
【００９６】
［コンテンツの加工例］
図８には、情報処理装置３００のタッチパネル３０１に表示される操作画面５７０の一例を示す。
【００９７】
操作画面５７０には、情報処理装置２００により投影されて表示される投影画像を操作するための操作ボタン５７１乃至５７３と、色選択領域５７４と、軌跡情報５７５とが表示される。
【００９８】
例えば、操作画面５７０に表示されている画像については、ユーザが、色選択領域５７４において所望の色を選択し、操作画面５７０上をなぞる操作をすることにより、所望の軌跡を描画することができる。例えば、操作画面５７０上をユーザが指でハート形になぞることにより、軌跡情報５７５を描画することができる。また、例えば、操作画面５７０上をユーザが指で文字（Ｍｅｒｙ  Ｘｍａｓ）を描くことにより、軌跡情報５７６を描画することができる。
【００９９】
ここで、軌跡情報５７５が描画された画像（操作画面５７０に含まれる画像）を情報処理装置２００に送信して表示させる場合には、操作ボタン５７３を押下する。なお、描画させた軌跡情報５７５を消去する場合には、ユーザは、操作ボタン５７２を押下する。軌跡情報を描画させる操作を終了する場合には、操作ボタン５７１を押下する。このように、お絵かき機能を実現することができる。また、画像上に所定のスタンプを付すスタンプ機能を実現するようにしてもよい。
【０１００】
［メッセージの表示例］
図９のａおよびｂには、情報処理装置３００から送信されたメッセージの表示例を示す。
【０１０１】
図９のａでは、情報処理装置３００から送信されたメッセージとしてなぞなぞを表示する場合の表示例を示す。また、図９のｂでは、他の情報処理装置から送信されたメッセージとして、そのなぞなぞに対する答えを表示する場合の表示例を示す。
【０１０２】
［通信例］
図１０乃至図１３は、本技術の実施の形態における情報処理システム１００を構成する各装置間における通信処理例を示すシーケンスチャートである。なお、図１０および図１１では、情報処理装置（サーバ）２００、情報処理装置（クライアント）３００間における通信処理例を示す。
【０１０３】
最初に、図１０および図１１では、情報処理装置３００に格納されているコンテンツを、情報処理装置２００により投影するまでの処理手順例について説明する。
【０１０４】
［クライアント上のＷｅｂアプリを起動させるまでの処理手順例］
図１０には、情報処理装置３００とネットワーク接続されている情報処理装置２００により情報処理装置３００上のＷｅｂアプリを起動させるまでの処理手順例を示す。
【０１０５】
最初に、ユーザは、情報処理装置２００との間でネットワーク接続されている情報処理装置３００に搭載されているＷｅｂブラウザを起動する（４０１）。この場合に、例えば、情報処理装置２００の投影部２７０から投影面１０に投影されている表示画面（例えば、プロジェクタ画面）にはＵＲＬが含まれるものとする。例えば、図３に示すように、ＵＲＬ５０１が含まれる投影画像５００が表示される。
【０１０６】
そこで、ユーザは、その表示画面で指示されたＵＲＬを、情報処理装置３００のタッチパネル３０１において入力する（４０２）。このように、ＵＲＬが入力された場合には、情報処理装置３００の制御部は、情報処理装置２００のＷｅｂサーバ部２２０に対してアプリデータを要求する（４０３、４０４）。すなわち、情報処理装置３００から情報処理装置２００にＧＥＴリクエストが送信される（４０３、４０４）。
【０１０７】
ここで、ＧＥＴリクエストは、クライアント（例えば、Ｗｅｂブラウザ）からＷｅｂサーバに送信するリクエストであり、ＵＲＬで指定したファイルの送信を要求するためのものである。
【０１０８】
アプリデータの要求を受けたＷｅｂサーバ部２２０は、予め用意されているアプリデータ（Ｗｅｂアプリ）をアプリデータ記憶部２３０から読み出す（４０５）。そして、Ｗｅｂサーバ部２２０は、そのアプリデータ（Ｗｅｂアプリ）の要求を送信したクライアント（情報処理装置３００）上のＷｅｂブラウザに、そのアプリデータ（Ｗｅｂアプリ）を返信する（４０６、４０７）。すなわち、情報処理装置２００から情報処理装置３００上のＷｅｂブラウザにレスポンスデータ（Ｗｅｂアプリ）が送信される（４０６、４０７）。なお、アプリデータ（Ｗｅｂアプリ）の送信処理（４０６、４０７）は、請求の範囲に記載の第１手順の一例である。
【０１０９】
Ｗｅｂサーバ部２２０からのレスポンスデータ（Ｗｅｂアプリ）を受け取った情報処理装置３００上のＷｅｂブラウザは、受信したレスポンスデータ（Ｗｅｂアプリ）を解析してタッチパネル３０１に表示させる（４０８）。これにより、情報処理装置２００にコンテンツを送信するための操作環境の準備が完了する（４０９、４１０）。
【０１１０】
図１０に示す処理手順が終了すると、サーバとネットワーク接続されているクライアント上の専用アプリケーションを起動した状態に相当する状態となる。また、これ以降の送信手順等では、操作環境の提供方法については、専用の「ネイティブアプリケーション」ではなく、Ｗｅｂブラウザ上で動作する「Ｗｅｂアプリケーション」を用いた提供となる。
【０１１１】
［クライアント上のコンテンツを送信して表示させるまでの処理手順例］
図１１には、情報処理装置３００とネットワーク接続されている情報処理装置２００にコンテンツを送信してそのコンテンツを表示させるまでの処理手順例を示す。
【０１１２】
最初に、ユーザは、情報処理装置２００から表示させるコンテンツを選択する（４２１）。例えば、ユーザは、情報処理装置３００上のＷｅｂアプリの表示画面において、情報処理装置２００から表示させるコンテンツを選択する選択操作を行う（４２１）。そして、ユーザは、その選択されたコンテンツを送信するための操作を行う。この操作に応じて、情報処理装置３００の制御部は、その選択されたコンテンツを情報処理装置２００に送信するための送信処理を行う（４２２、４２３）。すなわち、情報処理装置３００から情報処理装置２００にＰＯＳＴリクエスト（コンテンツデータ）が送信される（４２２、４２３）。なお、コンテンツデータの受信処理（４２３）は、請求の範囲に記載の第２手順の一例である。
【０１１３】
ここで、ＰＯＳＴリクエストは、クライアント（例えば、Ｗｅｂブラウザ）からＷｅｂサーバに送信するリクエストであり、クライアントからデータを送信するためのものである。なお、ＰＯＳＴリクエストには、情報処理装置２００から投影して表示させるための各情報（例えば、アイコン、アバター、テキスト文字、コンテンツ管理用のメタデータ等）を含めるようにしてもよい。
【０１１４】
ＰＯＳＴリクエスト（コンテンツデータ）を受信したＷｅｂサーバ部２２０は、受信したコンテンツデータを制御部２４０を介してコンテンツデータ記憶部２５０に格納する（４２４）。そして、Ｗｅｂサーバ部２２０は、コンテンツデータの受信が完了したことを示す情報をクライアント（情報処理装置３００）上のＷｅｂブラウザに返信する（４２５、４２６）。すなわち、情報処理装置２００から情報処理装置３００上のＷｅｂブラウザにレスポンスデータ（コンテンツデータの受信が完了したことを示す情報）が送信される（４２５、４２６）。
【０１１５】
コンテンツデータの受信が完了した後に、情報処理装置２００の制御部２４０は、コンテンツデータ記憶部２５０に格納されたコンテンツデータを画像処理部２６０および音声処理部２８０を経由して出力させる（４２７）。例えば、画像処理部２６０を経由して投影部２７０からコンテンツに基づく画像を投影して投影面１０に表示させ、音声処理部２８０を経由して音声出力部２９０からコンテンツに基づく音声を出力させる（４２７）。なお、コンテンツデータの出力処理（４２７）は、請求の範囲に記載の第３手順の一例である。
【０１１６】
［サーバ上のコンテンツをクライアントが受信して表示するまでの処理手順例］
図１２には、情報処理装置２００に格納されているコンテンツを、情報処理装置３００が受信してそのコンテンツを表示するまでの処理手順例を示す。
【０１１７】
最初に、ユーザは、受信を希望するコンテンツを選択する。例えば、ユーザは、情報処理装置３００上のＷｅｂアプリの表示画面において、受信を希望するコンテンツを選択する選択操作を行う（４４１）。例えば、投影画像にメイン画像として表示されている画像のコンテンツを選択する場合には、図４に示す操作領域５６３において下側へのフリック操作を行う（４４１）。
【０１１８】
なお、コンテンツ一覧を表示させるためのコンテンツ一覧情報を情報処理装置２００から情報処理装置３００に順次送信し、このコンテンツ一覧情報に基づいてタッチパネル３０１にコンテンツ一覧を表示させるようにしてもよい。この場合には、例えば、情報処理装置２００による発表中、または、情報処理装置２００により発表の済んだコンテンツの一覧が、情報処理装置３００上のＷｅｂアプリの表示画面に表示される。この表示画面において、ユーザは、受信を希望するコンテンツを選択する選択操作を行う（４４１）。
【０１１９】
そして、ユーザは、その選択されたコンテンツのダウンロードを要求するためのダウンロード要求操作を行う。なお、図４に示す操作領域５６３において下側へのフリック操作を行う場合には、選択操作およびダウンロード要求操作を同時に行うことができる。このダウンロード要求操作が行われると、情報処理装置３００の制御部は、その選択されたコンテンツのダウンロードを情報処理装置２００に要求するためのダウンロード要求処理を行う（４４２、４４３）。すなわち、情報処理装置３００から情報処理装置２００にＰＯＳＴリクエスト（ダウンロード要求）が送信される（４４２、４４３）。
【０１２０】
ＰＯＳＴリクエスト（ダウンロード要求）を受信したＷｅｂサーバ部２２０は、その要求に対応するコンテンツデータを制御部２４０を介してコンテンツデータ記憶部２５０から読み出す（４４４）。そして、Ｗｅｂサーバ部２２０は、コンテンツデータ記憶部２５０から読み出されたコンテンツデータを、その要求を送信したクライアント（情報処理装置３００）上のＷｅｂブラウザに返信する（４４５、４４６）。すなわち、情報処理装置２００から情報処理装置３００上のＷｅｂブラウザにレスポンスデータ（コンテンツデータ）が送信される（４４５、４４６）。
【０１２１】
コンテンツデータを受信した情報処理装置３００上のＷｅｂアプリは、受信したコンテンツをＷｅｂブラウザ上に表示させる（４４７）。なお、ユーザ操作に基づいて、受信したコンテンツを、必要に応じて情報処理装置３００内のストレージ領域に格納することも可能である。
【０１２２】
なお、本技術の実施の形態では、情報処理装置（クライアント）からのダウンロード要求があった場合には、その要求に対応するコンテンツを情報処理装置２００が送信する例を示した。ただし、情報処理装置２００から表示や音声出力がされたコンテンツであっても、他の情報処理装置へのダウンロードは制限したいと考えるユーザも存在することが想定される。例えば、公序良俗に違反するコンテンツ、子供の顔が含まれるコンテンツ、特定場所（例えば、トイレ）が含まれるコンテンツについては、他の情報処理装置へのダウンロードを制限したいと考えることが想定される。
【０１２３】
そこで、ユーザ設定または自動設定でコンテンツのダウンロードの制限を行うことができる。例えば、他の情報処理装置へのコンテンツを制限したい場合には、各情報処理装置（クライアント）が情報処理装置２００に送信するタイミング（または、他のタイミング）で、そのコンテンツにダウンロード制限情報を付加して送信するようにする。この場合には、情報処理装置２００は、ダウンロード制限情報を付加されたコンテンツについては、他の情報処理装置へのダウンロードを禁止する。
【０１２４】
また、情報処理装置２００が、画像認識機能等を用いて自動でダウンロード制限情報を付加するようにしてもよい。例えば、制御部２４０は、顔認識機能（年齢検出機能）を用いて、コンテンツに子どもの顔が含まれるか否かを検出して、子どもの顔が含まれる場合には、そのコンテンツにダウンロード制限情報を付加する。すなわち、制御部２４０は、各コンテンツについて、送信要求を送信した他の情報処理装置への提供を制限するか否かを判断することができる。
【０１２５】
また、コンテンツのダウンロードを禁止する代わりに、各種の処理（例えば、画質の劣化）を施すことによりダウンロードの制限を行うようにしてもよい。
【０１２６】
［クライアントからサーバの操作をする場合の処理手順例］
図１３には、情報処理装置３００から情報処理装置２００の操作をする場合の処理手順例を示す。例えば、情報処理装置３００とネットワーク接続されている情報処理装置２００に対して、情報処理装置３００を用いたリモコン操作をする場合の例を示す。
【０１２７】
最初に、ユーザ（例えば、発表者または参加者）は、情報処理装置３００上のＷｅｂアプリの操作画面において、情報処理装置２００に対する操作コマンドを発行するための発行操作を行う（４６１）。この発行操作が行われると、情報処理装置３００の制御部は、その操作コマンドを情報処理装置２００に送信する送信処理を行う（４６２、４６３）。すなわち、情報処理装置３００から情報処理装置２００にＰＯＳＴリクエスト（操作コマンド）が送信される（４６２、４６３）。
【０１２８】
操作コマンドを受信したＷｅｂサーバ部２２０は、要求された操作コマンドを解析する（４６４）。そして、Ｗｅｂサーバ部２２０は、その要求を受け付けたことを、その要求を送信したクライアント（情報処理装置３００）上のＷｅｂブラウザに返信する（４６５、４６６）。
【０１２９】
また、操作コマンドを受け付けたＷｅｂサーバ部２２０は、解析した操作コマンドを制御部２４０に出力する。そして、制御部２４０は、その操作コマンドを実行する（４６７）。
【０１３０】
ここで、従来、ケーブルを介して情報処理装置（例えば、パソコン）と接続され、その情報処理装置に保持されているコンテンツを表示させることが可能な表示装置（例えば、プロジェクタ、モニター）が提案されている。例えば、会議等の集会の場において、その情報処理装置に保持されているコンテンツをその表示装置に表示させながら説明することができる。しかしながら、このような集会において発表者が交代する際には、その交代の度に情報処理装置および表示装置間のケーブルを繋ぎかえる必要があるため、その繋ぎかえ作業が煩雑であるという問題がある。
【０１３１】
そこで、表示装置および情報処理装置を無線ネットワークにより予め接続することにより、ケーブルを繋ぎかえることなく、発表者の情報処理装置を切り替えることが可能なネットワーク対応プロジェクタが提案されている。しかしながら、そのネットワーク対応プロジェクタでは、ネットワーク対応プロジェクタおよび情報処理装置間のデータ通信に利用する専用プロトコルに則ってコンテンツを送信する専用アプリケーションやドライバー等を必要とする。このため、発表者は、ネットワーク対応プロジェクタに接続する情報処理装置の専用アプリケーション等を予め入手して情報処理装置にインストールしておく必要があった。
【０１３２】
これに対して、本技術の実施の形態では、情報処理装置（例えば、スマートフォン）側の専用のアプリケーションのインストール作業を不要とすることができるため、ユーザの利便性を大きく向上させることができる。
【０１３３】
すなわち、本技術の実施の形態では、情報処理装置２００がＷｅｂサーバ部２２０を備える。このため、クライアント側の端末（例えば、情報処理装置３００）上のＷｅｂブラウザから、情報処理装置２００にアクセスするだけで、コンテンツを送信するためのＷｅｂアプリを起動することができる。これにより、例えば、ネットワーク対応プロジェクタに接続するための事前準備（ネットワーク対応プロジェクタに接続する端末側に専用アプリケーションをインストールしておくこと）が不要となる。
【０１３４】
このように、情報処理装置２００と複数の情報処理装置（クライアント）とを接続して運用する環境を提供することができる。例えば、発表者の飛び入り参加があるような場合でも、即座に発表者の情報処理装置上のコンテンツを情報処理装置２００で表示することが可能となる。
【０１３５】
また、情報処理装置２００には、複数の情報処理装置（クライアント）から送信されたコンテンツを保存するためのストレージ（コンテンツデータ記憶部２５０）が備えられている。このため、情報処理装置２００に接続された他の情報処理装置（クライアント）からの要求に応じて、保存されているコンテンツを送信して共有することができる。すなわち、複数の情報処理装置（クライアント）がアクセス可能な情報処理装置２００を用いて複数の情報処理装置（クライアント）に保持されているコンテンツを容易に共有することができる。また、参加者同士で簡単にコンテンツを共有する環境を提供することができる。
【０１３６】
また、情報処理装置２００に接続された他の情報処理装置（クライアント）からの要求に応じて、情報処理装置２００を遠隔操作することができる。すなわち、情報処理装置２００に接続された他の情報処理装置（クライアント）は、情報処理装置２００のリモコンとして機能させることができる。例えば、参加者の操作により自由に表示対象となるコンテンツを切り換えることや、参加者が発表者のコンテンツに対して採点して評価を与える等の参加型の集会を実現することができる。
【０１３７】
ここで、プロジェクタ開発者側の視点から見た場合を想定する。例えば、情報処理装置（クライアント）上のアプリケーションへの機能追加や不具合修正が必要となった場合でも、ユーザの情報処理装置（クライアント）上のアプリケーションを個別にアップデートしてもらう必要がなくなる。また、情報処理装置２００に格納されているＷｅｂアプリデータのみを更新すれば、接続された情報処理装置（クライアント）上のＷｅｂアプリケーションは、常に最新の機能を使用することができる。また、情報処理装置（クライアント）上のアプリケーションと、情報処理装置２００との間のバージョンの違いによる互換性の問題も容易に回避することができる。
【０１３８】
ここで、投影面１０に投影画像を表示させる場合に、その投影画像上に多次元コード（例えば、情報処理装置２００に接続するためのバーコード）を含めるようにしてもよい。この場合には、その多次元コードを情報処理装置３００の撮像部（図示せず）により撮像して、その多次元コードに基づく情報（例えば、ＵＲＬ）を取得することにより、さらに簡単に接続することができる。
【０１３９】
なお、情報処理装置２００は、複数の情報処理装置と接続して同時に利用することが可能である。また、情報処理装置２００に接続される複数の情報処理装置は、情報処理装置２００に対して複数のコンテンツのアップロードを同時に行うことができる。また、情報処理装置２００に接続される複数の情報処理装置は、情報処理装置２００からの複数のコンテンツのダウンロードを同時に行うことができる。
【０１４０】
また、情報処理装置３００は、Ｗｅｂブラウザでの情報処理装置２００への接続後に、ネイティブアプリを情報処理装置２００からダウンロードすることもできる。
【０１４１】
また、情報処理装置２００では、画像、音楽、動画、テキストメッセージ、Ｗｅｂページ、クラウドサーバ上のコンテンツ等のコンテンツを表示させることができる。
【０１４２】
ここで、情報処理装置２００により表示させることが可能な各種のコンテンツについては、各種の機能を実行することができる。例えば、コンテンツの送信、コンテンツの表示、コンテンツの履歴表示、コンテンツのシェア（ダウンロード）、コンテンツの送信者のアイコン表示等を行うことができる。また、コンテンツの評価／コンテンツの採点、コンテンツのスライドショー、コンテンツの評価点上位コンテンツの表彰式等を行うことができる。
【０１４３】
ここで、情報処理装置２００により表示させることが可能なコンテンツのうち、画像コンテンツについては、拡大表示、画像加工（例えば、スタンプ、お絵かき）等の機能を実行することができる。
【０１４４】
また、情報処理装置２００により表示させることが可能なコンテンツのうち、音楽コンテンツについては、音楽コンテンツに関する画像（例えば、ジャケット画像、曲名、アーティスト名）の表示等の機能を実行することができる。同様に、再生コントロール（例えば、再生、停止、シーク）等の機能を実行することができる。
【０１４５】
また、情報処理装置２００により表示させることが可能なコンテンツのうち、動画コンテンツについては、サムネイル表示、再生コントロール（例えば、再生、停止、シーク）等の機能を実行することができる。
【０１４６】
また、情報処理装置２００により表示させることが可能なコンテンツのうち、テキストメッセージについては、送信者別の背景画像の表示、音声による読み上げ等の機能を実行することができる。
【０１４７】
このように、本技術の実施の形態によれば、ＳＮＳ（Social Networking Service）的な要素を情報処理装置２００による投影面１０への投影により実現することができる。例えば、宴会やオフ会等の集まりで、スマートフォンの表示画面をみんなに見せたい場合、盛り上がりに欠けたり、話題に困ったりした場合、「その写真ちょうだい！」と言われたような場合に、情報処理装置２００を用いることができる。
【０１４８】
また、このようなタイミングで情報処理装置２００を使用することにより、各自が持ちよったコンテンツをみんなで見ることの意外な楽しさ、宴会や打ち上げ等のイベントでみんなでスマートフォンのコンテンツをシェアする楽しさを実感することができる。また、ネットワークで繋がっている人達のオフ会にぴったりのコミュニケーションツールとして情報処理装置２００を活用することができる。また、宴会、パーティー、オフ会、アウトドア等で盛り上がるために、情報処理装置２００を活用することができる。
【０１４９】
なお、上述の実施の形態は本技術を具現化するための一例を示したものであり、実施の形態における事項と、請求の範囲における発明特定事項とはそれぞれ対応関係を有する。同様に、請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１５０】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０１５１】
なお、本明細書に記載された効果はあくまで例示であって、限定されるものではなく、また、他の効果があってもよい。
【０１５２】
なお、本技術は以下のような構成もとることができる。
（１）
無線通信を利用して接続される１または複数の他の情報処理装置に対してコンテンツ送信環境を提供し、前記コンテンツ送信環境が設定された他の情報処理装置から送信されたコンテンツであって前記他の情報処理装置を所持するユーザに関するコンテンツを取得するＷｅｂサーバと、
前記取得されたコンテンツを表示させる制御部と
を具備する情報処理装置。
（２）
前記Ｗｅｂサーバは、前記１または複数の他の情報処理装置からの送信要求に応じて前記表示されたコンテンツを当該他の情報処理装置に提供する前記（１）に記載の情報処理装置。
（３）
前記Ｗｅｂサーバは、前記表示されたコンテンツのうち制限情報が付加されているコンテンツについては前記送信要求を送信した他の情報処理装置への提供を行わない前記（２）に記載の情報処理装置。
（４）
前記制御部は、前記表示されたコンテンツについて前記送信要求を送信した他の情報処理装置への提供を制限するか否かを判断し、
前記Ｗｅｂサーバは、前記送信要求を送信した他の情報処理装置への提供を制限すると判断されたコンテンツについては当該他の情報処理装置への提供を行わない
前記（２）に記載の情報処理装置。
（５）
前記Ｗｅｂサーバは、前記他の情報処理装置からの要求に応じて当該他の情報処理装置に前記コンテンツ送信環境を提供する前記（１）から（４）のいずれかに記載の情報処理装置。
（６）
前記取得されたコンテンツに基づく画像を投影面に投影して表示させる投影部をさらに具備し、
前記制御部は、前記取得されたコンテンツを前記投影部による前記投影面への投影により表示させる
前記（１）から（５）のいずれかに記載の情報処理装置。
（７）
前記取得されたコンテンツに基づく画像を表示する表示部をさらに具備し、
前記制御部は、前記取得されたコンテンツに基づく画像を前記表示部に表示させる
前記（１）から（５）のいずれかに記載の情報処理装置。
（８）
前記制御部は、前記コンテンツ送信環境が設定された他の情報処理装置からの操作要求に応じて前記表示されたコンテンツに関する制御を行う前記（１）から（７）のいずれかに記載の情報処理装置。
（９）
第１情報処理装置を所持するユーザに関するコンテンツを無線通信を利用して送信するためのコンテンツ送信環境を設定するための設定要求を第２情報処理装置に無線通信を利用して送信する第１情報処理装置と、
前記第１情報処理装置に対して前記コンテンツ送信環境を提供し、前記コンテンツ送信環境が設定された前記第１情報処理装置から送信されたコンテンツであって前記第１情報処理装置を所持するユーザに関するコンテンツを取得するＷｅｂサーバと、前記取得されたコンテンツを表示させる制御部とを備える第２情報処理装置と
を具備する情報処理システム。
（１０）
無線通信を利用して接続される１または複数の情報処理装置に対してコンテンツ送信環境を提供する第１手順と、
前記コンテンツ送信環境が設定された他の情報処理装置から送信されたコンテンツであって当該他の情報処理装置を所持するユーザに関するコンテンツを取得する第２手順と、
前記取得されたコンテンツを表示させる第３手順と
を具備する情報処理方法。
（１１）
無線通信を利用して接続される１または複数の情報処理装置に対してコンテンツ送信環境を提供する第１手順と、
前記コンテンツ送信環境が設定された他の情報処理装置から送信されたコンテンツであって当該他の情報処理装置を所持するユーザに関するコンテンツを取得する第２手順と、
前記取得されたコンテンツを表示させる第３手順と
をコンピュータに実行させるプログラム。
【符号の説明】
【０１５３】
１００  情報処理システム
２００、３００、３１０、３２０、３３０  情報処理装置
２１０  無線通信部
２２０  Ｗｅｂサーバ部
２３０  アプリデータ記憶部
２４０  制御部
２５０  コンテンツデータ記憶部
２６０  画像処理部
２７０  投影部
２８０  音声処理部
２９０  音声出力部
３０１  タッチパネル
３０２  操作受付部
３０３  音声出力部
【図１】
2015182183.tif 000003
【図２】
2015182183.tif 000004
【図３】
2015182183.tif 000005
【図４】
2015182183.tif 000006
【図５】
2015182183.tif 000007
【図６】
2015182183.tif 000008
【図７】
2015182183.tif 000009
【図８】
2015182183.tif 000010
【図９】
2015182183.tif 000011
【図１０】
2015182183.tif 000012
【図１１】
2015182183.tif 000013
【図１２】
2015182183.tif 000014
【図１３】
2015182183.tif 000015
【国際調査報告】
2015182183.tif 000016
2015182183.tif 000017
2015182183.tif 000018
2015182183.tif 000019